(57)【要約】【課題】出入りや資材の搬入に支障を来しにくく、強度や耐久性に優れ繰り返しの使用が可能なものとする。【解決手段】既存建物の内部空間における改装対象となる改装領域１１とそれ以外の非改装領域１２とを、作業者等による両領域１１，１２間の出入りが自在な状態で仕切る仮設出入口構造１であって、非改装領域１２と改装領域１１との連絡通路となる廊下等において、対向する既存の間仕切り壁１３に固定された一対の縦下地材２と、縦下地材２を下地として固定された枠３ｂ，３ｃと扉３ａとからなる仮設出入口３と、を備える。【選択図】図１
2014205993.tif 000002
【特許請求の範囲】
【請求項１】
既存建物の内部空間における改装対象となる改装領域とそれ以外の非改装領域とを、作業者等による両領域間の出入りが自在な状態で仕切る仮設出入口構造であって、
前記非改装領域と前記改装領域との連絡通路となる廊下等において、対向する既存の間仕切り壁に固定された一対の縦下地材と、
前記縦下地材を下地として固定された枠と扉とからなる仮設出入口と、
を備えたことを特徴とする仮設出入口構造。
【請求項２】
前記仮設出入口の枠のうち、前記扉の吊元側の縦枠が、前記縦下地材に対してビス等の締結具で固定されたことを特徴とする、請求項１に記載の仮設出入口構造。
【請求項３】
前記仮設出入口の枠のうち、前記扉の吊元側とは反対側の縦枠が、前記縦下地材に対して粘着テープ等の貼着具で固定されたことを特徴とする、請求項２に記載の仮設出入口構造。
【請求項４】
前記対向する既存の間仕切り壁の離間寸法が前記仮設出入口の幅より狭く、前記縦下地材が平面視で前記間仕切り壁の面方向に対し非直交状態で固定されたことを特徴とする、請求項１から３のいずれか一項に記載の仮設出入口構造。
【請求項５】
前記仮設出入口の引き手が手前側に位置する状態で当該仮設出入口が斜めに配置されたことを特徴とする、請求項４に記載の仮設出入口構造。
【発明の詳細な説明】
【技術分野】
【０００１】
本発明は、仮設出入口構造に関する。
【背景技術】
【０００２】
既存の建物の内部空間の一部を改装する場合、改装作業に伴い発生する粉塵等が非改装領域に入り込まないように、改装領域とそれ以外の非改装領域とをビニールシート等で仕切ることが行われている。
【０００３】
このように既存建物の内部の一部を改装するための作業中においては、非改装領域から戸外へと通じる外部出入り口が存在しないことがあり、このような場合には、非改装領域と改装領域との間での人の出入りをいかに確保するかが問題となる。このような問題に対処した仮設出入口構造としては、可撓性の間仕切りシートに開閉可能なファスナーを取り付けて出入り口を構成した仮設間仕切りなどが提案されている（例えば特許文献１参照）。
【先行技術文献】
【特許文献】
【０００４】
【特許文献１】実用新案登録第３１３５７３７号公報
【発明の概要】
【発明が解決しようとする課題】
【０００５】
しかしながら、このような可撓性の間仕切りシート等を利用した仮設出入口構造は、人の出入りを確保しつつ粉塵等を遮蔽することを可能とするが、開放される領域が狭く、開放した状態を保つのも難しいので、出入りや資材の搬入等に支障を来すおそれがある。また強度や耐久性の面での問題もある。
【０００６】
本発明はこのような従来技術の課題を解決するものであり、出入りや資材の搬入に支障を来しにくく、強度や耐久性に優れ繰り返しの使用が可能な仮設出入口を提供することを目的とする。
【課題を解決するための手段】
【０００７】
上記課題を解決すべく、本発明者は種々の検討を重ねた。例えば、比較的広範囲な改装や大型改装などの作業をするにあたり、顧客たる住居者の生活エリアと工事エリアの住み分けを確立したうえで、工事エリアの出入りをスムーズに行いたい要望がある。また、改装工事が長期にわたる場合にも、顧客が受ける負担をできるだけ軽減させたいという要望もある。一方で、従来の仮設出入口構造においては、（ａ）部屋内に仕切りを設ける場合はブルーシートにて養生し、（ｂ）出入り口を有する仕切りを設ける場合はファスナー付きビニールやマスカー等にて養生する、といったことが行われるが、例えば、部材搬入の際、出入り口のマスカーやシート等に部材を引っ掛けて破けるといったことや、大きい資材を搬入する際にシート等を一度取り外さなければならないといったことがあるというのが現状である。上述のような要望と現状とを比較考量しつつ検討を重ねた本発明者は、かかる課題の解決に結び付く新たな知見を得るに至った。
【０００８】
本発明はかかる知見に基づくもので、既存建物の内部空間における改装対象となる改装領域とそれ以外の非改装領域とを、作業者等による両領域間の出入りが自在な状態で仕切る仮設出入口構造であって、
前記非改装領域と前記改装領域との連絡通路となる廊下等において、対向する既存の間仕切り壁に固定された一対の縦下地材と、
前記縦下地材を下地として固定された枠と扉とからなる仮設出入口と、
を備えたことを特徴とする。
【０００９】
この仮設出入口構造によれば、枠と扉とからなる仮設出入口を備えていることから、人が出入りする際や資材の搬入等の際には扉を開けて出入りや搬入のためのスペースを確保することができ、これら出入りや搬入に支障を来たすことがない。また、扉を即座に開閉することが可能であることから、塵埃等が非改装領域へ進入するのを効果的に抑止することができる。また、この仮設出入口構造は、連絡通路における既存の恒久的で堅牢な間仕切り壁に対し固定されるので、強度や耐久性に優れるばかりでなく、廊下等から取り外して繰り返し使用できるものでもある。
【００１０】
仮設出入口構造においては、前記仮設出入口の枠のうち、前記扉の吊元側の縦枠が、前記縦下地材に対してビス等の締結具で固定されていることが好ましい。このような仮設出入口構造によれば、より大きな力が作用する吊元側をビス等の締結具で固定することにより、縦下地材をより強固に固定することができる。
【００１１】
このような仮設出入口構造においては、前記仮設出入口の枠のうち、前記扉の吊元側とは反対側の縦枠が、前記縦下地材に対して粘着テープ等の貼着具で固定されていることが好ましい。ビス等よりも簡易な固定手段ではあるが、粘着テープ等の貼着具で固定することにより、吊元側とは反対側の縦枠についても、縦下地材に対してより強固に固定することができる。
【００１２】
また、仮設出入口構造においては、前記対向する既存の間仕切り壁の離間寸法が前記仮設出入口の幅より狭く、前記縦下地材が平面視で前記間仕切り壁の面方向に対し非直交状態で固定されていてもよい。このような構成として、間仕切り壁に対して斜めとなる状態で仮設出入口を設置することとすれば、廊下等の幅員より多少大きな幅の仮設出入口であっても適用することが可能となることから、汎用性が向上する。
【００１３】
このような仮設出入口構造においては、前記仮設出入口の引き手が手前側に位置する状態で当該仮設出入口が斜めに配置されていることが好ましい。間仕切り壁に対して斜めとなる状態で仮設出入口を設置する場合、このように、引き手が手前側に位置する状態となっていれば、当該仮設出入口の引き手が奥まった箇所にあって掴み難かったり、開く途中で仮設出入り口の端部が間仕切り壁を擦ったり、といったことを回避することができる。
【発明の効果】
【００１４】
本発明によれば、出入りや資材の搬入に支障を来しにくく、強度や耐久性に優れ繰り返しの使用が可能な仮設出入口を提供することができる。
【図面の簡単な説明】
【００１５】
【図１】本発明の一実施形態に係る仮設出入口構造の水平断面を示す図である。
【図２】仮設出入口構造の縦断面を示す側方からみた図である。
【図３】仮設出入口構造の設置方法の一例を示す概略図で、一対の縦下地材を両側の間仕切り壁のそれぞれに宛がった状態で、下場に横垂木を挟み込んで突っ張った状態を表すものである。
【図４】仮設出入口構造の設置方法の一例を示す概略図で、上場と下場のそれぞれに横垂木を配置し、これら上下の横垂木の間において縦下地材を上下方向に突っ張らせた状態を表すものである。
【図５】一対の縦下地材を平面視で間仕切り壁の面方向に対し非直交状態となるように斜向かいで固定した場合の仮設出入口構造の水平断面を示す図である。
【発明を実施するための形態】
【００１６】
以下、図面を参照しつつ本発明に係る機能パネル支持架台の実施形態について詳細に説明する。
【００１７】
図１〜図５に本発明にかかる仮設出入口構造１の実施形態を示す。図１等において、符号１は、既存建物の内部空間１０において、改装対象となる改装領域１１とそれ以外の非改装領域１２とを、作業者等による両領域１１，１２間の出入りが自在な状態で仕切るための仮設出入口構造である。この仮設出入口構造１は、両領域１１，１２間における出入りを確保しつつ、改装領域１１の粉塵（塵埃）が非改装領域１２へ入り込むのを抑える（図１等参照）。本実施形態の仮設出入口構造１は、縦下地材２、仮設出入口３などを備える。
【００１８】
縦下地材２は、非改装領域１２と改装領域１１との連絡通路となる廊下の仕切り養生部分等において、対向する既存の間仕切り壁１３に固定される部材である（図１、図２等参照）。本実施形態では、一対の垂木を間仕切り壁１３の両壁に固定して縦下地材２とし、これら一対の縦下地材２によって仮設出入口３を支えるようにしている。また、縦下地材２と間仕切り壁１３の間には、間仕切り壁１３の表面（内装）が傷付くのを防ぐ部材として、養生用プラスチックボードなどの保護部材４が設けられている（図１参照）。
【００１９】
仮設出入口３は、開閉する扉３ａと、扉３ａの両側に配置された一対の縦枠３ｂ，３ｃと、扉３ａの上下に配置された一対の横枠（図示省略）と、を備える。縦枠３ｂ，３ｃと横枠は矩形のフレームを形成している。扉３ａは、一対の縦枠３ｂ，３ｃのいずれかに対し、ヒンジ部材などで回動可能に取り付けられている。扉３ａに自動閉扉器（オートクローザー）が併設されていてもよい。
【００２０】
このような仮設出入口３としては、一般的に流通している室内用出入口アルミサッシ付きドアなど、既存のドアを利用することができる。この場合の既存のドアは、未使用品であってもよいし、既に建物の内部空間にて使用されているものあるいは使用されたものなどであってもよい。例示すれば、既存建物にて使用されていたものであって、浴室解体時に丁寧に取り外して保存しておいたユニットバス用アルミ製開き戸などを仮設出入口３として再利用することができる。
【００２１】
また、仮設出入口３の縦枠３ｂ，３ｃおよび横枠は当該既存のドアに備え付けの状態のままで構わない。したがって、これら縦枠３ｂ，３ｃおよび横枠が金属製アングル材であっても構わない（図１等参照）。
【００２２】
仮設出入口３は、廊下の間仕切り壁１３に対して垂直に配置されることが好ましいが、そうでない配置となっても構わない。例えば、縦下地材２の内側面どうしの間隔が、仮設出入口３の縦枠３ｂ，３ｃの間隔よりも狭くなってもいても構わず、この場合、一対の縦枠３ｂ，３ｃのうちの一方（例えば縦枠３ｃ）が、扉３ａを開閉しても動いたり外れたりしないように縦下地材２に対して取り付けられ、尚かつ縦下地材２に対して直接あるいは保護部材４を介して接した状態となっていればよい（図１参照）。要は、仮設出入口構造１は、改装領域１１にて生じうる粉塵（塵埃）が非改装領域１２に入り込むような隙間が生じないように両領域１１，１２間の空間（本実施形態の場合、廊下）を仕切るものであればよく、あとは、作業者等が出入りしたり資材を搬入したりする際の便宜や使い勝手からすれば仮設出入口３が間仕切り壁１３に対して垂直に配置されているのが好ましいのであって、状況によっては垂直でなく斜めとなっていても（非直交状態となっていても）構わない。
【００２３】
また、対向する既存の間仕切り壁１３の離間寸法が仮設出入口３の幅より狭い場合には、縦下地材２の一方を間仕切り壁１３の面に沿ってずらし、これら一対の縦下地材２を、平面視で間仕切り壁１３の面方向に対し非直交状態となるように斜向かいで固定してもよい（図５参照）。廊下等の幅員より多少大きな幅の仮設出入口３であっても、縦下地材２をこのように斜向かいに配置すれば仮設出入口構造１として利用することができるから汎用性が向上する。
【００２４】
なお、上述のように仮設出入口３を非直交状態で斜めに配置する場合は、仮設出入口３の扉３ａの引き手３ｆが手前側に位置する状態で当該仮設出入口３が斜めに配置されていることが好ましい（図５参照）。斜めとなっている仮設出入口３の奥側に引き手３ｆがあるとそこまで手が届きづらいため掴みにくかったり、扉３ａが開く途中で間仕切り壁１３を擦ったり、といったことが生じうるが、上述のように引き手３ｆが手前側に位置する状態となっていればこのような不便や煩わしさがない。
【００２５】
また、仮設出入口３を構成する縦枠のうち、扉３ａの吊元側の縦枠（図１等において符号３ｂで表示）が、縦下地材２に対してビス５等の締結具で固定されていることが好ましい。このような仮設出入口構造１によれば、扉３ａを保持しているためにより大きな力が作用する吊元側の縦枠３ｂをより堅固に固定することにより、扉３ａを縦下地材２に対して強固に固定することができる。
【００２６】
また、本実施形態では、扉３ａの吊元側の縦枠３ｂを縦下地材２に対してビス５等の締結具で固定しているのに対し、当該吊元側とは反対側の縦枠３ｃは、縦下地材２に対して粘着テープ６等の貼付部材で固定している。吊元の反対側では吊元側ほどの荷重は作用しないことからすれば、ビス５等よりも簡易な固定手段ではある粘着テープ６等の貼着具を利用することにより、ビス５等を使うよりも簡易に、尚かつ縦下地材２に対して十分な強度で強固に固定することができる。
【００２７】
なお、仮設出入口３の上部が仕切られずに開口しており、該開口部から粉塵等が非改装領域へと入り込むことが可能となっている場合には、該上部開口にも仕切り部材を設けることが好適である。本実施形態では、プラスチック製の板材（プラダンと呼ばれる養生用プラスチックダンボールなど）７を仮設出入口３の上部に設け、さらにこの板材７と間仕切り壁１３との間に隙間が生じている場合には養生用テープを目張りして隙間を塞いでいる（図２参照）。
【００２８】
また、仮設出入口構造１を設置する際、既存の間仕切り壁１３への縦下地材２の取付け手法は、適宜選択することができる。例えば、廊下の間仕切り壁１３のクロスを張り替える場合には、一対の縦下地材２を両側の間仕切り壁１３のそれぞれに宛がった状態で、下場に横垂木を挟み込んで突っ張った状態とする（図３参照）。また、必要に応じてビスなどの締結具１６を縦下地材２に打ち込んで固定する（図３参照）。
【００２９】
あるいは、例えば廊下の間仕切り壁１３のクロス張り替えを行わない場合であれば、上場と下場のそれぞれに横垂木１７を配置し、これら上下の横垂木１７の間において縦下地材２を上下方向に突っ張らせるようにしてもよい（図４参照）。この場合における上下の横垂木１７のそれぞれは、天井や床を保護する上下保護材として機能しうる。
【００３０】
以上のごとき本実施形態の仮設出入口構造１によれば、改装領域１１と非改装領域１２の間の廊下といった仕切り養生部分に仮設出入口３を設置し、出入り可能な仕切り（仮設出入口３）を確立することができる。この仮設出入口３は、扉３ａと枠３ｂ，３ｃとからなることから、人が出入りする際や資材の搬入等の際には扉３ａを開けて出入りや搬入のためのスペースを確保することができ、これら出入りや搬入に支障を来たさない。しかも、扉３ａを即座に開閉することが可能であることから、塵埃等が改装領域から非改装領域へと進入するのを効果的に抑止することができる。
【００３１】
また、本実施形態では浴室解体時に取り外して保存しておいたユニットバス用アルミ製開き戸などを仮設出入口３として再利用していたように、既存の開き戸など、あるいは現場で他の用途に用いられている部材などを利用することが可能である。したがって、仮設出入口構造１に専ら用いられる仮設出入口を用意したり、仮設出入口構造１を構築するため専用の部材を事前に手配したりといった余分な手間が不要である。さらには、このように既存の部材を利用した場合、仮設の間仕切りとしては見栄えがするという利点もある。
【００３２】
しかも、既存の開き戸のサイズがまちまちであったり、改装領域１１と非改装領域１２との間のサイズ（例えば廊下の幅や高さ）が一定でなかったりしたとしても、平面視で間仕切り壁１３の面方向に対し非直交状態となるように斜向かいで仮設出入口３を設置することができるし、仮設出入口３３の上部開口の大きさに合わせて板材７を設け、隙間にテープを貼り付けることによって仕切り（仮設出入口３）を構成することができる。このため、本実施形態の仮設出入口構造１は汎用性が高い。また、これまでの説明から明らかなように、本実施形態の仮設出入口構造１は低コストで構築できるものでもある。
【００３３】
さらに、本実施形態の仮設出入口構造１は、既存の恒久的で堅牢な間仕切り壁１３に対して固定されることから、強度や耐久性に優れるばかりでなく、廊下等から取り外して繰り返し使用できるという利点も有する。
【００３４】
なお、上述の実施形態は本発明の好適な実施の一例ではあるがこれに限定されるものではなく本発明の要旨を逸脱しない範囲において種々変形実施可能である。例えば、上述の実施形態においては、改装領域１１と非改装領域１２との連絡通路となる廊下に仮設出入口構造１（仮設出入口３）が設置される場合を示したがこれは一例にすぎず、廊下以外の箇所に設置される場合も当然にあり得る。簡単に例示すれば、既存建物の内部空間１０において、改装領域１１たる部屋と非改装領域１２たる部屋とが間仕切り壁に設けられた襖（あるいは戸）で仕切られている場合に、当該襖（あるいは戸）を取り外して形成された開口部に仮設出入口構造１を設置する場合や、仕切りのない連続的な空間において対向する壁が接近している部位に仮設出入口構造１を設置する場合などがある。
【産業上の利用可能性】
【００３５】
本発明は、既存建物の内部空間における改装対象となる改装領域とそれ以外の非改装領域とを、作業者等による両領域間の出入りが自在な状態で仕切る仮設出入口構造に適用して好適である。
【符号の説明】
【００３６】
１…仮設出入口構造
２…縦下地材
３…仮設出入口
３ａ…扉
３ｂ…（仮設出入口の）扉吊元側の縦枠
３ｃ…扉吊元側と反対側の縦枠
３ｆ…扉の引き手
５…ビス（締結具）
６…粘着テープ（貼着具）
１０…既存建物の内部空間
１１…改装領域
１２…非改装領域
１３…既存の間仕切り壁
【図１】
2014205993.tif 000003
【図２】
2014205993.tif 000004
【図３】
2014205993.tif 000005
【図４】
2014205993.tif 000006
【図５】
2014205993.tif 000007